(57)【特許請求の範囲】
【請求項１】
操作部を握って保持する術者の手の形や大きさに対応して上記操作部の握り部の側面の上端部付近に着脱自在に取り付けられる内視鏡の操作部保持用補助具において、
上記操作部を握って保持する術者の指の向きに沿う位置に滑り止め突起を二列並んで突出形成したことを特徴とする内視鏡の操作部保持用補助具。
【請求項２】
上記二列に並んで突設された滑り止め突起どうしの間隔が、上記操作部の上方側へいくにしたがって狭まっている請求項１記載の内視鏡の操作部保持用補助具。
【請求項３】
上記滑り止め突起が、上記操作部を握って保持する術者の指の向きに沿って点状に多数突設されている請求項１又は２記載の内視鏡の操作部保持用補助具。
【請求項４】
上記滑り止め突起が、上記操作部を握って保持する術者の指の向きに沿って細長い線状に突設されている請求項１又は２記載の内視鏡の操作部保持用補助具。
【請求項５】
上記滑り止め突起が、上記操作部を握って保持する術者の人指し指の内側に位置するように設けられている請求項１、２、３又は４記載の内視鏡の操作部保持用補助具。
【発明の詳細な説明】
【技術分野】
【０００１】
この発明は、内視鏡の操作部を握って保持する術者の手の形や大きさに対応して操作部に着脱自在に取り付けられる内視鏡の操作部保持用補助具に関する。
【背景技術】
【０００２】
内視鏡を使用する術者は、内視鏡の操作部を手で握って保持した状態でその操作部に配置されている各種操作部材の操作を行うが、術者の手の形や大きさは千差万別であり、人によっては操作部を使い易い状態に保持できない場合がある。
【０００３】
そこで、術者の手の形や大きさに合わせて選択できる操作部保持用補助具を操作部に取り付けることにより、一つの操作部を誰でもが違和感なく使用でき得るようにしている（例えば、特許文献１）。
【特許文献１】実開昭６３−１２７６０１
【発明の開示】
【発明が解決しようとする課題】
【０００４】
上述のような従来の内視鏡の操作部保持用補助具は、操作部の後面側に取り付けられて、操作部を握って保持する術者の手の親指と人指し指の付け根部分に載せられるようになっているが、そのような位置に内視鏡の操作部保持用補助具を取り付けると、操作部に対する術者の手の位置関係が規制され過ぎて却って使い難くなる場合もある。
【０００５】
そこで、内視鏡の操作部保持用補助具は、操作部を握って保持する術者の手の形や大きさに対応して、操作部の握り部の側面の上端部付近に、人指し指の腹と操作部の側面との間の隙間をなくすように取り付けると、操作部に対する術者の手の位置関係を規制し過ぎることなく、操作部を楽に保持できるようになる。なお、その内容については、特願２００４−３６２０９９及び特願２００５−２４６６１においてすでに特許出願をしてある。
【０００６】
しかし、そのような内視鏡の操作部保持用補助具を取り付けた場合でも、術者の手が濡れているような場合には滑り易くなるので、操作部保持用補助具が人指し指の腹に接触する位置に配置しても、安定して保持することができない場合がある。
【０００７】
そこで本発明は、内視鏡の操作部を握って保持する術者の手が濡れているような場合でも、操作部を滑らないように安定した状態に容易に保持することができる内視鏡の操作部保持用補助具を提供することを目的とする。
【課題を解決するための手段】
【０００８】
上記の目的を達成するため、本発明の内視鏡の操作部保持用補助具は、操作部を握って保持する術者の手の形や大きさに対応して操作部の握り部の側面の上端部付近に着脱自在に取り付けられる内視鏡の操作部保持用補助具において、操作部を握って保持する術者の指の向きに沿う位置に滑り止め突起を突出形成したものである。
【０００９】
なお、滑り止め突起が、操作部を握って保持する術者の指の向きに沿って点状に多数突設されていてもよく、或いは、滑り止め突起が、操作部を握って保持する術者の指の向きに沿って細長い線状に突設されていてもよい。
【００１０】
また、滑り止め突起が、二列並んで突設されていてもよく、その場合、二列に並んで突設された滑り止め突起どうしの間隔が、操作部の上方側へいくにしたがって狭まっていてもよい。
【００１１】
なお、滑り止め突起が、操作部を握って保持する術者の人指し指の内側に位置するように設けられているとよい。
【発明の効果】
【００１２】
本発明によれば、操作部を握って保持する術者の指の向きに沿う位置に滑り止め突起を突出形成したことにより、内視鏡の操作部を握って保持する術者の手が濡れているような場合でも、操作部を滑らないように安定した状態に容易に保持することができる。
【発明を実施するための最良の形態】
【００１３】
操作部を握って保持する術者の手の形や大きさに対応して操作部の握り部の側面の上端部付近に着脱自在に取り付けられる内視鏡の操作部保持用補助具において、操作部を握って保持する術者の指の向きに沿う位置に滑り止め突起を突出形成する。
【実施例】
【００１４】
図面を参照して本発明の実施例を説明する。
図４は内視鏡の外観図であり、操作部１の下端に可撓性の挿入部２が連結され、図示されていない光源装置に接続されるコネクタ部４が、操作部１の後面から延出する連結可撓管３の先端に取り付けられている。
【００１５】
操作部１の下半部は、操作部１を保持する術者が左手で握って保持するための握り部になっており、操作部１の上半部の前面には吸引操作弁１０や送気送水操作弁２０等の操作部材が配置されている。
【００１６】
そして、操作部１の握り部の上端位置にあたる操作部１の側面上半部には、操作部１を保持する術者の手の形等（即ち、手の形や大きさ）に合わせて各種取り揃えられる操作部保持用補助具５０を選択して取り付けることができるようになっている。
【００１７】
図５は操作部保持用補助具５０の単体の状態を示しており、操作部１の側面に沿って配置される側面突出部５１の前端側に、操作部１の上半部の前面に沿う前壁部５２が一体に形成されて、そこに二つの取付孔５３，５４が貫通形成されている。操作部保持用補助具５０の形状は、操作部１に取り付けられた状態の側面図と正面図である図１及び図２にも表されている。
【００１８】
吸引操作弁１０と送気送水操作弁２０は、周知のものと同様に操作部１に対して差し込み方向に着脱することができるように配置されているが、この実施例では、操作部１に取り付けられる際に操作部保持用補助具５０の取付孔５３，５４を通過する構成になっている。
【００１９】
その結果、操作部保持用補助具５０が吸引操作弁１０と送気送水操作弁２０とによって操作部１に固定されており、吸引操作弁１０と送気送水操作弁２０を操作部１から外せばそれと同時に操作部保持用補助具５０も操作部１から外れる。
【００２０】
吸引操作弁１０と送気送水操作弁２０よりさらに上方の操作部１の上端付近には、図示されていないビデオプロセッサにおける画像制御（例えば、フリーズ、録画その他）等を行うための複数の制御スイッチ３０が、操作部１の前後両面に分かれて配置されている。図２に示される４０は湾曲操作ノブである。
【００２１】
各図に示される５５は、操作部１を握って保持する術者の手の滑りを防止するための滑り止め突起であり、操作部１が術者の左手で保持された状態を図示する図３に示されるように、滑り止め突起５５は、術者の人指し指の内側に位置する位置に、術者の人指し指の向きに沿う向き（即ち、前方へいくにしたがって上方に向かう斜め向き）に操作部保持用補助具５０の表面から突出形成されている。操作部保持用補助具５０の表面からの滑り止め突起５５の突出高は、例えば０．５〜１ｍｍ程度である。
【００２２】
図１〜図５の各図に示されるように、滑り止め突起５５は操作部１の上方側へいくにしたがって間隔が狭まるように二列に立体的に並んだ状態に形成されており、この実施例の滑り止め突起５５は、一つの直径が数ｍｍ程度の円形のものを点状に多数（例えば１０〜２０個）突設して構成されている。
【００２３】
このように構成された操作部保持用補助具５０を操作部１に取り付けることにより、術者の手が濡れているような場合でも、滑り止め突起５５が術者の手によく引っ掛かるので、操作部１を滑らないように安定した状態に容易に保持することができる。
【００２４】
なお、本発明は上記実施例に限定されるものではなく、例えば図６に示されるように、滑り止め突起５５が、操作部１を握って保持する術者の人差し指の向きに沿って細長い線状に突設されていてもよい。また、操作部保持用補助具５０を吸引操作弁１０と送気送水操作弁２０以外の部材で操作部１に固定する構成のものであっても差し支えない。
【図面の簡単な説明】
【００２５】
【図１】本発明の第１の実施例の操作部保持用補助具が操作部に取り付けられた状態の側面図である。
【図２】本発明の第１の実施例の操作部保持用補助具が操作部に取り付けられた状態の正面図である。
【図３】本発明の第１の実施例の内視鏡の操作部を術者が保持した状態の側面図である。
【図４】本発明の第１の実施例の内視鏡の外観図である。
【図５】本発明の第１の実施例の操作部保持用補助具を単体で示す斜視図である。
【図６】本発明の第２の実施例の操作部保持用補助具が操作部に取り付けられた状態の側面図である。
【符号の説明】
【００２６】
１  操作部
１０  吸引操作弁
２０  送気送水操作弁
５０  操作部保持用補助具
５３，５４  取付孔
５５  滑り止め突起
【図１】
0004847778.tif 000002
【図２】
0004847778.tif 000003
【図３】
0004847778.tif 000004
【図４】
0004847778.tif 000005
【図５】
0004847778.tif 000006
【図６】
0004847778.tif 000007